(57)【要約】【課題】  順次走査型表示デバイスと飛び越し走査型表示デバイスを使用する場合に、それぞれに画像メモリを設けなくて良くする。【解決手段】  ＣＣＤセンサアレイ１２は、撮影レンズ１１による被写体光学像に対応する電荷信号に継続的に出力し、画像処理回路１３が、一枚分の画像情報を画像信号に変換する。画像信号入力装置１４は、画像処理回路１３のアナログ出力をデジタル信号に変換する。画像処理エンジン１５は、回路１４の出力画像信号を圧縮して記録媒体１５Ａに記録する。ファインダ用画像信号は、間引き処理と圧縮処理を施されて、画像信号保持装置１６に一時記憶される。画像信号保持装置１６は、出力先が順次走査のＬＣＤディスプレイ４か飛び越し走査の網膜走査型表示デバイス３かに従う信号順序で表示デバイス３又は４に記憶データを出力する。【選択図】  図１
2005347816.tif 000002
【特許請求の範囲】
【請求項１】
被写体の光学画像を電気信号に変換する光センサアレイと、
当該光センサアレイから出力される画像信号を記録する記録媒体と、
複数の表示モードを具備し、前記画像信号を画像表示する画像表示手段と、
当該画像表示手段の各表示モードに対応して、前記画像信号の転送順序を変換する信号変換手段
とを具備することを特徴とする撮像装置。
【請求項２】
前記複数の表示モードは、飛び越し走査と順次走査とを具備することを特徴とする請求項１に記載の撮像装置。
【請求項３】
被写体の光学画像を電気信号に変換する光センサアレイと、
当該光センサアレイから出力される画像信号を記録する記録媒体と、
互いに異なる表示モードを具備し、前記画像信号を画像表示する第１及び第２の画像表示手段と、
当該第１及び第２の画像表示手段の一方を選択する選択手段と、
当該選択手段で選択された画像表示手段の表示モードに対応した信号順次に、前記画像信号を変換する信号変換手段
とを具備することを特徴とする撮像装置。
【請求項４】
前記信号変換装置は、前記画像信号を一時記憶する画像メモリ手段と、前記画像メモリ手段の記憶位置のアドレスを指定するアドレス指定手段とを具備することを特徴とする請求項１又は３に記載の撮像装置。
【請求項５】
前記アドレス指定手段は、前記画像信号を前記画像メモリ手段の書込みアドレスを指定することを特徴とする請求項３に記載の撮像装置。
【請求項６】
前記アドレス指定手段は、前記画像信号を前記画像メモリ手段の読み出しアドレスを指定することを特徴とする請求項３に記載の撮像装置。
【請求項７】
光線をビーム状に絞り込んで一つの平面状に高速に掃引を繰り返し、その面内の位置に応じて明るさを変化させることにより視認可能な像を形成する光走査型表示装置であって、
画面の走査位置を一走査毎に１ライン分ずらす、所謂飛び越し走査を行い、
第一面の走査に続いて行われる第二面の走査が、第一面の走査の終了点付近より開始し、第一面の走査の開始始点付近で終了する
ことを特徴とする光走査型表示装置。
【請求項８】
順次走査と飛び越し走査のどちらにも対応可能であって、その走査方法は、スイッチ手段の操作によって任意に切り替え可能であることを特徴とする請求項７に記載の光走査型表示装置。
【請求項９】
順次走査と飛び越し走査に対応可能な光走査型表示装置からなるファインダと、
当該光走査型表示装置の飛び越し走査と順次走査を切り替える切換手段
とを具備する撮像装置であって、
当該切換手段は、撮影前の被写体を追跡する際は飛び越し走査を選択し、撮影後の撮影画面確認時には順次走査を選択する
ことを特徴とする撮像装置。
【発明の詳細な説明】
【技術分野】
【０００１】
本発明は、撮像装置及び光走査型表示装置に関し、より具体的には、電子ビューファインダを具備する撮像装置、及び、電子ビューファインダとして使用可能な光走査型表示装置に関する。
【背景技術】
【０００２】
網膜走査方式のディスプレイ装置が、特許文献１に記載されている。図５は、特許文献２等に記載されるシリコン微細加工技術を用いて製作した捩り振動子の構造を示す。図５（Ａ）は平面図を示し、同（Ｂ）は図５（Ａ）Ａ−Ａ線から見た断面図を示す。
【０００３】
１０１は固定された基準部材、１０２と１０３はこの部材より突出して一軸上に存在する捩りバーで、捩り振動子１０５はこの捩りバー１０２，１０３で吊られ、自在に回転する。捩りバー１０３には圧電素子１０４が形成されていて、この捩りバー１０３の変形量を圧電素子１０４が２つの出力端子間に電圧電圧差として出力する。１０６は捩り振動子１０５上に形成されたコイルである。コイル１０６に流す交流電流が、後述する台座部材１２０に設けられた磁石１２３Ａ、１２３Ｂが形成する磁場と作用し、捩り振動子１０５が往復回転運動する。捩り振動子１０５の運動方向は、後述するミラー部１１０Ａで反射される光ビームを上下方向に走査する事になるので、垂直スキャンと記す。
【０００４】
１０７と１０８は捩り振動子１０５から突出している捩りバーであり、捩り振動子１１０を支えている。この捩り振動子１１０の表面１１０Ａ側は、アルミが全面に蒸着されており、入射光を反射するスキャナーのミラーとして機能する。捩りバー１０８にも圧電素子１０９が形成されていて、この捩りバー１０８の変形量に応じて圧電素子１０９が２つの出力端子に出力する電圧の差分成分から回転角度を検出できる。
【０００５】
捩り振動子１１０は、固有の共振周波数で捩りバー１０７，１０８を中心に揺動し、その固有共振周波数が３９．９６ＫＨｚになるように、捩りバー１０７，１０８のバネ定数と捩り振動子１１０の質量が決定されている。捩りバー１０７，１０８を中心に往復回転運動を行うミラーは、後述する発光源の光ビームを水平方向へ走査する。以後、これを水平スキャンと記す。
【０００６】
図５（Ｂ）で、１２０は本装置の基礎部材であり、この上に各部品類が組み立てられている。１２１は基準部材１０１の保持部材で、これを介して基礎部材１２０に固定されている。１２２Ａと１２２Ｂは捩り振動子１１０に隣接して設置された駆動電極であり、この電極１２２Ａ，１２２Ｂと捩り振動子１１０の電極部１１０Ｂの間に電圧を印加すると、捩り振動子１１０に静電力が及ぶ。即ち、電極１２２Ａ，１２２Ｂと捩り振動子１１０の電極部１１０Ｂの間に所定の交流電圧を印加することで、捩り振動子１１０を駆動できる。
【０００７】
磁石１２３Ａ，１２３Ｂは、基礎部材１２０に固定され、Ｓ極とＮ極に関しては互いに逆極性が表面に来る様に設置される。この２つの磁石１２３Ａ，１２３Ｂで形成される磁場中に存在するコイル１０６に交流電流を流す事により、コイル１０６は、電流の方向で定められた向きに力を受け、捩り振動子１０５は往復回転運動を続ける。
【０００８】
１３０、１３１、１３２、１３３、１３４、１３５、１３６は、ドライブ回路１７（図６）と電気的に接続する為の、基準部材１０１上に設けられた接続端子である。ドライブ回路１７は、網膜操作方式のディスプレイを構成する要素の一つであり、以上に説明した図５に示すミラー部の駆動制御を司るもので、垂直方向に関しては、圧電素子１０４の信号をモニターしつつ、コイル１０６にノコギリ波状の垂直駆動電流を流し、このノコギリ波の周期で捩り振動子１０５全体を揺動する。また、水平方向には、電極部１１０Ｂと駆動電極１２２Ａ，１２２Ｂとの間に駆動電極交流電圧を印加することにより、静電力で捩り振動子の駆動力を得ている。この交流電圧の周波数は、捩り振動子１１０の上記固有共振周波数に概略一致しており、それ故に、僅かな駆動エネルギーで安定した振動数で水平スキャンが可能である。
【０００９】
上述のミラー制御回路がミラー部を駆動する電流波形を図７に示す。図７（Ａ）は、駆動電極１２２Ａ、１２２Ｂと電極１１０Ｂとの間に印加する正弦波電圧を示し、ミラーは水平方向に３９，９６０Ｈｚで往復回転を続ける。図７（Ｂ）は、コイル１０６に流れるノコギリ波電流を示す。このノコギリ波電流は、ミラー全体を１秒間に６０回、垂直方向に駆動する。水平方向への駆動信号との位相関係は、図７に示す通りであり、ノコギリ波電流の上昇期間が垂直スキャン期間である。圧電素子１０４の出力電圧をモニタする事でミラー部の垂直走査の状態をモニタでき、同様に、圧電素子１０９の出力電圧をモニタする事でミラー１１０Ａの水平走査の状態をモニタできる。ドライブ回路１７は、これらの出力電圧からミラーの動きを検出して、後述の光源装置２１の動作を制御する。
【００１０】
図６を参照して、実際の画像の描画動作を説明する。図６は、光走査型表示デバイスを用いた電子ビューファインダの一形態を示す。
【００１１】
図６（Ａ）において、１７は光走査型表示デバイスの動作を制御するドライブ回路であり、本光走査型表示デバイスの構成要素である光源装置２１と図５に示すミラー部全体の動きを制御する。但し、図６（Ａ）では、簡略化の為、ミラー部全体からミラー１１０Ａのみを抜き出して図示してある。また、光走査型デバイスは、赤（Ｒ）、緑（Ｇ）及び青（Ｂ）の三色のＬＥＤ（発光ダイオード）と各ＬＥＤからの光線を均一に混合するダイクロイックプリズムから成る光源装置２１、ミラー部、半透明のスクリーン４０、並びに、スクリーン４０上に形成される画像を拡大するルーペ３１からなる。
【００１２】
ドライブ回路１７は、光源装置２１内部のＲ，Ｇ，Ｂ各色のＬＥＤの光強度及び点灯／消灯を制御する制御信号を出力する。光源装置２１は、任意のカラーで任意の光強度の光ビームを発し、これをミラー１１０Ａに投射する。ミラー部は、ドライブ回路１７からの信号により水平・垂直各方向に前述の周期でスキャンされる。
【００１３】
以上の構成により、輝度及びカラーが変調された光ビームを高速にスクリーン４０上に掃引して画像を形成する。利用者は、スクリーン４０上の画像をルーペ３１で拡大して観測する。これにより、上述の機器がファインダとして機能する。
【００１４】
スクリーン４０上の像は、図６（Ｂ）に示すように、縦横比３：４又は９：１６の割合で掃引される。図６（Ｂ），（Ｃ）に破線で示す領域４１，４２は、実際に画像が描かれる部分であり、ここを外れると、光源装置２１は光ビームを停止する。このような描画が１秒間に６０回繰り返される。網膜上の残像の効果により、観測者は、線画像又は点画像ではなく面状の画像が存在するものと認識する。
【特許文献１】特表平１１−５０５６２７号公報
【特許文献２】特表２００１−５１９７２６公報
【発明の開示】
【発明が解決しようとする課題】
【００１５】
網膜走査型デバイスでは、図６（Ｂ）に示すように、スクリーン４０上に画像を描く光ビームは往復運動となるので、光源の制御を司る制御回路は、画像を構成する画素の並びを光線の走査方向に応じて変更する必要がある。従って、網膜走査型デバイスでは、一旦、画像データを保存して、画素データの一部を並び替える作業が不可欠となる。ちなみに、従来の例えばＣＲＴ（冷陰極管）による表示では、走査方向が常に一定なので、画素データも撮像素子から読み出された通りの順序で読み出すことで対応できる。
【００１６】
一方、撮影装置にあっては、ビューファインダ以外にも撮影装置背面などに小型のディスプレイパネルを備え、そこにも画像を表示することが求められる。このディスプレイ装置には液晶表示デバイス等が採用されるが、これらは、ＣＲＴ等と同様の画素データの並びを要求する。
【００１７】
以上により、網膜走査型ディスプレイをファインダの表示装置として採用する場合、少なくとも表示する画像の一画面分のデータメモリが必要となる。しかし、他の表示手段を併用する場合、画像データの並びが異なるので、更にもう一画面分以上の専用のデータメモリが必要となる。画像メモリは、高速の書込み読み出しが要求されるので、複数の画像メモリを備える事は、コスト面で不利になる。
【００１８】
網膜操作型のディスプレイをビューファインダとして採用する場合、他の電子ビューファインダと同様、ファインダ上に画像が表示されるまでにある程度の時間を要する。これは、特に高速の被写体を撮影するデジタルカメラ等では、レリーズタイムラグを増加させることになり、望ましくない。
【００１９】
本発明は、このような不都合を解消する撮像装置及び光走査型表示装置を提示することを目的とする。
【課題を解決するための手段】
【００２０】
本発明に係る撮像装置は、被写体の光学画像を電気信号に変換する光センサアレイと、当該光センサアレイから出力される画像信号を記録する記録媒体と、複数の表示モードを具備し、前記画像信号を画像表示する画像表示手段と、当該画像表示手段の各表示モードに対応して、前記画像信号の転送順序を変換する信号変換手段とを具備することを特徴とする。
【００２１】
本発明に係る撮像装置は、被写体の光学画像を電気信号に変換する光センサアレイと、当該光センサアレイから出力される画像信号を記録する記録媒体と、互いに異なる表示モードを具備し、前記画像信号を画像表示する第１及び第２の画像表示手段と、当該第１及び第２の画像表示手段の一方を選択する選択手段と、当該選択手段で選択された画像表示手段の表示モードに対応した信号順次に、前記画像信号を変換する信号変換手段とを具備することを特徴とする。
【００２２】
本発明に係る光走査型表示装置は、光線をビーム状に絞り込んで一つの平面状に高速に掃引を繰り返し、その面内の位置に応じて明るさを変化させることにより視認可能な像を形成する光走査型表示装置であって、画面の走査位置を一走査毎に１ライン分ずらす、所謂飛び越し走査を行い、第一面の走査に続いて行われる第二面の走査が、第一面の走査の終了点付近より開始し、第一面の走査の開始始点付近で終了することを特徴とする。
【００２３】
本発明に係る撮像装置は、順次走査と飛び越し走査に対応可能な光走査型表示装置からなるファインダと、当該光走査型表示装置の飛び越し走査と順次走査を切り替える切換手段とを具備する撮像装置であって、当該切換手段は、撮影前の被写体を追跡する際は飛び越し走査を選択し、撮影後の撮影画面確認時には順次走査を選択することを特徴とする。
【発明の効果】
【００２４】
本発明によれば、複数の画像表示手段を備える撮影装置において、各表示手段に適した画素信号の並びにデータの並びを変換する信号変換装置を備えることで、各表示装置に専用の画像メモリ手段を備える必要が無くなる。
【００２５】
本発明によれば、網膜走査型デバイスにおいて、垂直方向の制御信号を複数備える信号発生装置と、画素信号の並びを変換する信号変換装置を備えることで、飛び越し走査と順次走査いずれの表示も可能となる。
【００２６】
本発明によれば、網膜走査型表示デバイスにおいて、通常のファインダ表示時には飛び越し走査を採用し、撮影画面の確認時には順次走査に切り替えることにより、タイムラグの少ないビューファインダ表示と精細なビューファインダ表示を両立させることができる。
【発明を実施するための最良の形態】
【００２７】
以下、図面を参照して、本発明の実施例を詳細に説明する。
【実施例１】
【００２８】
図１は、本発明の一実施例であるデジタルカメラの概略構成ブロック図を示す。１は被写体像を電気的な信号に変更して次段へ送り出す撮像ブロックであり、撮影レンズ１１及びＣＣＤセンサアレイ１２からなり、入射光の強度に応じた量の電荷を出力する。更に、電荷を電圧に変換する画像処理回路１３が、一枚分の画像情報を一連の電気信号である画像信号に変換する。電源が投入されていると、本ブロックは連続的に動作を続け、ＣＣＤセンサアレイ１２の電子シャッタ機能により適切な露光量が得られる様に、制御回路５の指示に基づいて蓄積条件を画像処理回路１３が設定し、取り込んだ画像に関する画像信号を次段に送り出す。この画像信号は、後述するファインダの表示に用いられる。
【００２９】
画像処理回路１３は、順次走査に合わせて１フレーム分を６０回／秒の頻度で転送する順次走査モードと、飛び越し走査に対応して１フレームを２つのフィールドに分割して読出し、１フィールド分の画像信号を１２０回／秒の頻度で転送する飛び越し走査モードとを備えている。画像処理回路１３は、制御回路５からの指示に従う走査モードで動作する。
【００３０】
制御回路５は、本デジタルカメラの全体を制御する。制御回路５は、演算処理及び制御プログラムを実行するＣＰＵ、ＲＡＭ及びＲＯＭ等のメモリ回路等から構成され、各種操作スイッチの大部分がこの制御回路５に設けられる。制御回路５は、画像処理回路１３、画像処理エンジン１５及び画像信号保持装置１６等の動作を制御する。
【００３１】
６はレリーズボタンである。撮影者がレリーズボタン６を操作して撮影動作を指示すると、制御回路５は、撮像ブロック１に対して、その時点で設定されている撮影条件、シャッタ速度、フラッシュ装置の発光／非発光、及び被写体距離などに応じて、１枚分の画像信号を取り込む様に各部を制御する。この画像信号は、撮影画像として扱われ、先のファインダ表示用の画像信号とは区別した上で、次段に送出される。この画像信号は、次段以降で様々な処理を経て後述の記録媒体１５Ａに記録される。９は、ファインダとしてのディスプレイ装置の選択スイッチであり、網膜走査型ディスプレイとＬＣＤディスプレイの選択に用いられる。
【００３２】
画像処理ブロック２は、撮像ブロック１から送られて来る撮影画像信号を電子データへ変換して記録媒体に書き込む機能と、ディスプレイ装置に撮像ブロック１からのファインダ表示用画像信号を所定の処理後に送り出す機能を備える。
【００３３】
Ａ／Ｄコンバータを含む画像信号入力装置１４は、ＣＣＤセンサアレイ１２の各センサの光量に応じたアナログ電圧値をデジタル値に変換するとともに、輝度信号と色差信号に分離する。
【００３４】
画像処理エンジン１５は、制御回路１３の指示により、撮像ブロック１から送られて来た画像のデータのうち、撮影画像信号にＪＰＥＧ等の規定に則ったデータ圧縮処理を実施する。圧縮された撮影画像信号は、不図示のバッファメモリ領域に一旦送り込まれた後、記録媒体１５Ａに書き込まれる。
【００３５】
記録媒体１５Ａは、半導体メモリを多数実装したメモリカードの一種であり、本撮影装置から着脱自在である。
【００３６】
撮影画像以外の連続的に送り込まれる画像信号は、ファインダ用画像データとして画素信号の一部間引き処理及び圧縮等の処理を施されて、画像信号保持装置１６に供給される。一連の画像処理は、制御回路５からの指示によりなされる。ファインダ表示を飛び越し走査で行うか順次走査で行うかにより、信号の処理手順が異なることは言うまでもない。
【００３７】
画像信号保持装置１６は、信号変換装置としての機能を備える。画像信号保持装置１６は、画像データを一時的に保管するＶＲＡＭ１６Ａを含む。図２及び図３は、画像信号保持装置１６の構成例を示す。
【００３８】
図２に示す構成では、画像処理エンジン１５からのファインダ表示用画素信号は、一旦、ＶＲＡＭ１６Ａにそのまま書き込まれる。読み出しアドレス制御ポインタ１６Ｂは信号変換手段として機能し、各ファインダ装置に画像信号を送り出す際にデータを読み出すアドレスを制御して、ファインダ装置に対応した適切なデータの並びを実現する。１７はＶＲＡＭのデータを送り出すためのバッファであり、１８はデータを出力する先を選択するスイッチでる。スイッチ１８と読み出しアドレス制御ポインタは、制御回路５の制御信号に基づいて動作する。
【００３９】
図３に示す構成では、画像処理エンジン１５からの画素信号をＶＲＡＭに書き込む際に、信号変換手段である書込みアドレス制御ポインタ１６Ｃが、書込みアドレスを指定する。図２に示す構成と同様に、書込みアドレス制御ポインタ１６Ｃは、制御回路５の制御信号に基づき動作する。
【００４０】
図２及び図３の何れの構成でも、画像信号保持装置の出力信号は、スイッチ１８で選択された２つのディスプレイ装置のどちらかに転送される。
【００４１】
３は、先に説明した網膜走査型表示デバイスであり、４はＴＦＴ駆動のカラー液晶表示デバイスを表す。
【００４２】
図４は、本実施例の外観斜視図を示す。３Ａはファインダの接眼部であり、この内部に網膜走査表示デバイス３が設置されている。４Ａはカラー液晶表示デバイス４の画像表示部である。６Ａはレリーズボタンで、このボタン部の下部にスイッチが設置され、このボタン６Ａを押し込むと、レリーズスイッチ６がオフからオンになる。表示デバイス３，４は、ファインダとして機能するが、表示デバイス３が選択されている場合、ファインダ３Ａ内部に画像が現れるが、表示デバイス４Ａには何も表示されない。表示デバイス４が選択されている場合、カラー液晶表示デバイス４の画像表示部４Ａに画像が表示されるが、表示デバイス３には画像は表示されない。すなわち、本実施例では、表示デバイス３，４を同時に駆動することはなく、何れか選択された表示デバイスのみが駆動される。
【００４３】
スイッチ９により、表示デバイス３，４を切り替えを制御回路５に指示できる。スイッチ９がオン状態であれば、カラー液晶表示デバイス４が選択され、オフ状態であれば、網膜走査型デバイス３が選択される。
【００４４】
以上のデジタルカメラに於いて、網膜走査型デバイス４は、図６（Ａ）に示す構成からなり、画像信号保持装置１６は、図３に示す構成からなるとして、ファインダに送られる画像信号の流れを説明する。
【００４５】
図８、図９及び図１０は、ＶＲＡＭ１６Ａに書き込まれたファインダ用画像信号の並びの説明図である。図８は、撮像ブロック部からの画像信号から画像処理エンジン１５がファインダ表示用に間引き処理を行ってファインダ信号出力装置に転送したデータ例を示す。説明を簡単にする為、画素データは極端に少なくしてあり、ファインダの左上Ａ１から右下Ｌ８までの１２×８＝９６画素で表示するものとする。
【００４６】
書込み制御ポインタ１６Ｃは、データの並びを変換する信号変換手段の一例である。スイッチ９で網膜走査型表示デバイスが選択されると、画像処理エンジン１５からのデータが図９に示す順に並ぶように、ＶＲＡＭの書込みアドレスを制御する。ＶＲＡＭは、網膜走査型デバイスからのデータ要求に対して、アドレスの下位から上位へと順次、ドライブ回路１７に転送する。これにより、光ビームの掃引方向とデータの並びとが一致し、ファインダ内に正常な画像が形成される。
【００４７】
スイッチ９でＬＣＤディスプレイ４が選択された場合、書込みアドレスポインタ１６Ｃは、画像処理エンジン１５からのデータが図８に示す順に並ぶように、ＶＲＡＭの書込みアドレスを制御する。ＶＲＡＭは、ＬＣＤディスプレイ装置からのデータ要求に対して、アドレスの下位から上位へと順次、ＬＣＤディスプレイ装置に転送する。これにより、液晶表示デバイス４の画像表示部４Ａに正常な画面が表示される。
【００４８】
画像信号保持装置１６が図２に示す構成からなる場合、ＶＲＡＭ１６Ａには画像処理エンジン１５から送られた画像信号が下位のアドレスから上位のアドレスにそのまま書き込まれる。しかし、ファインダ装置からの要求に応じてデータを転送する際に、読み出しアドレス制御ポインタ１６Ｂが、データ転送先の表示装置、即ち、ＬＣＤディスプレイ４か網膜走査型表示デバイス３かによって、データ読み出しアドレスの設定を変更し、正常な画像出力ができる順番にデータを送り出す。これにより、図３に示す構成の場合と同様の効果を得ることができる。
【実施例２】
【００４９】
網膜走査型表示デバイスでは、従来とは異なる走査方式で飛び越し走査が可能となる。図１１（Ｂ）は、これまで説明してきた画像の描画方法であって、所謂、順次走査の一種を示す。一方、図１１（Ｃ）に示す走査は、往路と復路で走査する領域を１ラインづつずらすもので、ある種の飛び越し走査である。図１１（Ａ）は、図１１（Ｃ）の一部を拡大したもので、実線が、往路、即ち上から下への走査時の軌跡を示し、破線が、復路、即ち下から上への走査時の軌跡を示す。
【００５０】
５０は描画期間の幅を示し、この期間のみ、光源装置は光ビームを点灯させる。ミラーが走査する範囲は、描画期間を超えるものである。これは、走査方向が変わる両端では、掃引速度が大きく変化して光ビームの制御が難しいので、この領域を描画に使用することを避けるためである。
【００５１】
図１１（Ｃ）では、往路で掃引したラインの間に復路で光ビームを掃引するので、一画面を２回に分けて走査して描くことになり、所謂、飛び越し走査の一種ということができる。この飛び越し走査を実現するためのミラー部の構成は、実施例１と何ら変えず、単にミラーを掃引するための駆動波形を変更することで対応できる。
【００５２】
具体的には、順次走査では、垂直方向の掃引信号を図７（Ｂ）に示すノコギリ波としたが、飛び越し走査では、図７（Ｃ）に示す山形の電流波形とする必要がある。また、描画のための画素信号の並びは、図８（Ａ）から図８（Ｃ）に変更する必要がある。当然のことながら、信号交換手段としての図１（Ｂ）に示す読み出しアドレス制御ポインタ１６Ｂ又は書込みアドレス制御ポインタ１６Ｃが、データの並びを変更する手段として作用する。
【００５３】
一般に、飛び越し走査では画素データを半分ずつ更新して描画することから、画像の更新速度を順次走査の約半分の周期で行うことができる。飛び越し走査をファインダの表示に用いることは、画面の更新時間を短縮し、強いてはレリーズタイムラグの減少に繋がる。
【００５４】
一方、順次走査は、緻密な画面が得られることから静止画の描画に優れ、撮影後の撮影画像を確認する際により高精細な画面を提供することが可能である。この特徴を生かす為に、本実施例の撮影装置では、網膜走査型デバイスのドライブ回路１７は、図７（Ｂ），（Ｃ）に示す少なくとも２種類の駆動信号を備え、制御回路５は、網膜走査型デバイスを駆動する際、飛び越し走査をなすように網膜走査型デバイスを制御し、撮影終了直後には撮影画像の確認用として定められた短時間、順次走査に切り替えて撮影画像を表示させるようにドライブ回路１７を制御する。
【００５５】
この処理により、通常のファインダ表示時には飛び越し走査で描画することでファインダ像の表示の遅れを低減するとともに、撮影後の撮影画面の確認時には順次走査へ切り替えて精細な画面を表示することで、より使い易い撮影装置を実現する。
【実施例３】
【００５６】
図６（Ｃ）は、所謂、ハイビジョン対応の画面の比率（アスペクト比９：１６）であり、図６（Ｂ）に示す一般的なアスペクト比３：４と比較すると、若干、横方向に広がる。図６（Ａ）に示す網膜走査型デバイスの水平方向スキャン幅を広げることと、表示する画像信号を対応させることで、どちらの表示形態にも対応可能となる。
【００５７】
水平スキャン幅を拡大するには、ドライブ回路１７が備える水平スキャン信号、即ち、図７（Ａ）に示す信号の振幅をスキャン幅に応じて大きく設定すればよい。
【００５８】
画像信号に関しては、画像エンジン１５が水平方向により広い範囲のデータを抜き出して画像信号保持装置１６に送り出すように制御回路５が制御するとともに、信号変換手段としての画像信号保持手段の読み出しアドレス制御ポインタ１６Ｂ又は書込みアドレス制御ポインタ１６Ｃに予めハイビジョン対応画像信号の配置に適するデータの並びに変換する機能を付加しておき、制御回路５の指示で画像信号をハイビジョン対応画像に適合させる。これにより、網膜走査型デバイスで、容易に画面の縦横比を変更させることが可能となる。
【００５９】
上述の実施例では、一つの画像メモリに複数の表示手段に対応したデータ配置が可能となり、各表示装置に専用の画像メモリを備える必要がなくなる。
【００６０】
網膜走査型表示デバイスにおいて、垂直方向の駆動信号切り替え手段と画像データを配置する信号変換手段を備え、表示形態に応じて前記駆動信号切り替え手段にて垂直方向の駆動信号と画像信号の信号変換手段での信号の並びを変更することにより、機構面の変更や追加など必要とせずに、飛び越し走査と順次走査を切り替えて表示させることが可能となる。
【００６１】
通常のファインダとしての表示動作と、撮影後の撮影画像確認のための表示の異なるモードを備えた表示装置で、ファインダとしての動作時には飛び越し走査を、撮影画像確認時には順次走査を採用することで、ファインダ時にはより早い画像の更新がなされ、ファインダ像の表示遅れを短縮してレリーズタイムラグが長くなることを防止するとともに、撮影画像の確認時にはより精細な画像を表示することが可能となる。
【００６２】
網膜走査型表示デバイスで順次走査と飛び越し操作を切り替えるスイッチ手段を備えることで、被写体や観察する画像の状況により、最適な画像表示を選択することが可能となる。
【図面の簡単な説明】
【００６３】
【図１】本発明の一実施例としてのデジタルカメラのブロック図である。
【図２】画像信号保持装置１６の構成例を示す概略構成ブロック図である。
【図３】画像信号保持装置１６の別の構成例を示す概略構成ブロック図である。
【図４】デジタルカメラの背面からの外観を示す図面である。
【図５】網膜走査型表示デバイスのミラー部の図面である。
【図６】網膜走査型表示デバイスの構成図である。
【図７】網膜走査型デバイスのドライブ信号である。
【図８】ファインダに表示する画像信号の配置例である。
【図９】ファインダに表示する画像信号の配置例である。
【図１０】ファインダに表示する画像信号の配置例である。
【図１１】網膜走査型表示デバイスの光ビームの走査方法である。
【符号の説明】
【００６４】
１：撮像ブロック
２：画像処理ブロック
３：網膜走査型表示デバイス
４：ＬＣＤディスプレイ
５：制御回路
６：レリーズスイッチ
７：デジタルカメラ本体
８：鏡筒部
９：ファインダ切り替えスイッチ
１１：撮影レンズ
１２：ＣＣＤセンサ
１３：画像処理回路
１４：画像信号入力装置
１５：画像処理エンジン
１６：画像信号保持装置
１７：ドライブ回路
１８：切り替えスイッチ
１９：バッファ
２１：光源
３１：接眼レンズ
４０：スクリーン
４１：描画範囲
４２：描画範囲
１０１：基準部材
１０２：捩りバー
１０３：捩りバー
１０４：圧電素子
１０５：捩れ振動子
１０６：コイル
１０７：捩りバー
１０８：捩りバー
１０９：圧電素子
１１０：捩り振動子
１２０：基礎部材
１２１：保持部材
１２２Ａ、１２２Ｂ：駆動電極
１２３Ａ、１２４Ｂ：磁石
１３０〜１３６：接続端子
【図１】
2005347816.tif 000003
【図２】
2005347816.tif 000004
【図３】
2005347816.tif 000005
【図４】
2005347816.tif 000006
【図５】
2005347816.tif 000007
【図６】
2005347816.tif 000008
【図７】
2005347816.tif 000009
【図８】
2005347816.tif 000010
【図９】
2005347816.tif 000011
【図１０】
2005347816.tif 000012
【図１１】
2005347816.tif 000013